Podtech/llm-jp-corpus-v4-ja_patent huggingface dataset:
(57)【要約】      （修正有）【課題】従来から市販されている普段着に特徴を持たせ、着ぐるみを着用したのと同様の楽しさを得られるベビー服・子供服の普段着を提供する。【解決手段】フードに所定のキャラクターに模した耳形２を付けることによって着ぐるみに似たデザイン性が発揮し、着用者である子供も外観的にも楽しさを得ることができる。【選択図】図１
2010229613.tif 000002
【特許請求の範囲】
【請求項１】
フード部分の外観を適宜選択した所定のキャラクターの耳形を立体的に縫着したことを特徴とするベビー服・子供服の普段着。
【発明の詳細な説明】
【技術分野】
【０００１】本考案は、ベビー服・子供服、特にフードのデザインに関するものである。
【背景技術】
【０００２】従来から市販されているベビー服・子供服のフード部分には特徴もなくどれも似たデザインのものが多い。
例えば、外観形状を子供向けの人気アニメキャラクターなどに見せることができる着ぐるみでは全身を覆う形状が一般的であった。  人気のキャラクターに模することができるのは子供を楽しませるために意義があり、重要であった。【０００３】しかし、着ぐるみのように体全体でキャラクターの形状を模した服では、上下一体型が多い。
【先行技術文献】
【特許文献】
【特許文献】実開平０６−００６４１４号
【非特許文献】
【非特許文献】
【発明の概要】
【発明が解決しようとする課題】
【０００４】そこで、普段着としての着用が容易な上衣のフード部分に特徴を持たす。
フードの外観形状を所定のキャラクターに模すことでことで、いつでも着ぐるみに似た楽しさが得られることを課題とする。
【課題を解決するための手段】
【０００５】  本考案は、上記課題を解決するために次のような構成とした。
ベビー服・子供服に用いられる一般的な布帛にて作製された普段着のフード部分のみに所定キャラクターの耳型を立体的に縫着する。
【発明の効果】
【０００６】  本考案は、所定のキャラクターの耳型を立体的に縫着することにより、外観上着ぐるみと似た楽しさが得られる。  普段着であることから、衣類の着回しも可能となり、着用回数も増し実用性も増す。
【図面の簡単な説明】
【０００７】
【図１】耳型をつけたフードの正面図。
【図２】子供が着用した状態を示す背面図。
【図３】図１に示すキャラクターの耳型を変更した正面図。
【図４】図１に示す、耳型をつけた他のデザインを子供が着用した状態を示す背面図。
【発明を実施するための形態】
【０００８】  本考案は、普段着のフード部分が外観上所定のキャラクターに似た形状となるよう形成したものである。
【実施例】
【０００９】  フード部分は本体と一体になっている構造。頭から被るトレーナー、前面にファスナーを縫着したパーカー、ワンピースなど多種多様に用いることができる。【００１０】  図１〜図４に示すように、動物をモデルとしたキャラクターの耳型を起用する。所定の形状に裁断された本体同様もしくは色柄違いの布帛をフードに縫着させる。  符号３に示す、タックを入れることによって立体感を表現する。【００１１】  図２、図４は、子供が着用した状態の背面図を示している。
フードを被らなくても立体的な表現がされているため着ぐるみに似た楽しさを得ることができる。【００１２】  このように、本考案はフード部分のみに特徴を持たせた構成となっている。  その為、洋服のデザインが多種多様と楽しめ、使用するキャラクターを変更すれば更に他の構成を得ることができる。
【産業上の利用可能性】
【符号の説明】
【００１３】  １  うさぎをモデルとした耳型
２  くまをモデルとした耳型
３  タック
【図１】
2010229613.tif 000003
【図２】
2010229613.tif 000004
【図３】
2010229613.tif 000005
【図４】
2010229613.tif 000006
(57)【要約】      （修正有）【課題】指先腹部が網目状素材であるために滑り難く、かつ指先の感触を高められ、指先を使った作業が容易にでき、かつはめたままで作業ができるため、その都度外す必要がない手袋を提供する。【解決手段】指先腹部２が接触する部分を他の部分と異なる網目状素材とし、同じ部分に穴をあけた手袋本体１に接合して形成する。【選択図】図１
2010229612.tif 000002
【特許請求の範囲】
【請求項１】
指先の腹部が接触する部分を他の部分と異なる網目状素材とし、同じ部分に穴をあけた手袋本体に接合して形成してなる手袋。
【発明の詳細な説明】
【技術分野】
【０００１】  本発明は、はめたままで、指先を使った作業の容易化を図った手袋に関する。
【背景技術】
【０００２】  従来の手袋には、指先部を着脱可能にし、細かい作業時には裸出した指を使い、作業を容易にしたものがある。（例えば  特開平１１−２４７００９号  など）
また、あらかじめ切断してあり、手の感触を高めたものがある。（例えば  実用新案出願２００２−６７８２  など）【０００３】  以下、図２により従来の手袋について説明する。図において、指先部の保護カバー体は着脱可能であり、外した状態では指を裸出できる。【０００４】  ２は指先部の保護カバー体で、本体１に対し着脱可能とされている。
【特許文献１】  特開平１１−２４７００９号  公報
【発明の開示】
【発明が解決しようとする課題】
【０００５】  以上に述べた従来の手袋では、指先を裸出した状態での作業中に、手袋本体が指に対してずれるという問題があった。【０００６】  本発明は、このような従来の手袋が有していた問題を解決しようとするものであり、指先を使った細かい作業時のずれ防止を実現することを目的とするものである。
【課題を解決するための手段】
【０００７】  本発明は上記目的を達成するために、指を完全に裸出することがないように網目状の指先腹部を手袋本体に接合して取り付けたものである。【０００８】  上記の課題解決手段による作用は次の通りである。すなわち、はめたままでも指先腹部が網目状素材であるために滑り難く、かつ指先の感触を高められ、指先を使った作業が容易にでき、かつはめたままで作業ができるため、その都度手袋を外す必要がなくなる。
【発明の効果】
【０００９】  上述したように本発明の手袋は、指の腹部を網目状素材するとともに、手袋本体と接合することにより、はめたまま指先を使った細かい作業のできる手袋を提供できる。
【発明の実施するための最良の形態】
【００１０】  以下、本発明の実施の形態を図１に基づいて説明する。
【００１１】  図において、１は手袋本体で、指先腹部２とにより構成されており、互いに接合されている。
【００１２】  ２の指先腹部は網目状素材で作られており、指先腹部に穴のあいた手袋本体１に縫合や接着などにより接合されている。
【００１３】  以下、上記構成の動作を説明する。手袋本体１をはめたまま指先を使った作業を行うとき、指先部が網目状であるため、滑り難く、かつ感触を確認できるという効果を発揮する。そのため手袋をはめたままで、指先を使った作業をすることができる。
なお、この手袋は作業専用の、いわゆる軍手に限定されるものでなく、一般的に用いられている防寒用やおしゃれ用手袋にも適用できる。
【図面の簡単な説明】
【００１４】
【図１】    本発明の実施形態を示す手袋の外観図
【図２】    従来の手袋の外観図
【符号の説明】
【００１５】    １  手袋本体
２  指先腹部
【図１】
2010229612.tif 000003
【図２】
2010229612.tif 000004
(57)【要約】  【課題】  従来の頭部フード付の雨具は顔を動かしてもフードが動かないため、左右、後方を振り向くとフードが遮り、視界を遮断する。そのため帽子とフードをアルミニュームのボッチで固定する、開口部につば付帽子を取り付ける、顔にあたる部分の周囲に紐を配し、紐を絞める等の方法がある。市販の帽子を利用でき、もっと簡易に頭と共に動くフード付き雨具、防寒衣料を開発する。【解決手段】  首から上の顔面を除く頭部を覆うフードを持つ雨具およびアノラック等の防寒着において頭部を覆うフードの着用者の額にあたる部分に帽子のつばを挿入する口を開けた袋状の帽子つば包含部を設けた、帽子つばに固定できることを特徴とする頭部フード付のマント、ポンチョ、レインコート、合羽等の雨具及びアノラック等の防寒着とする。【選択図】        図１
2010229588.tif 000002
【特許請求の範囲】
【請求項１】
首から上の顔面を除く頭部を覆うフードを持つ雨具およびアノラック等の防寒衣料において頭部を覆うフードの着用者の額にあたる部分に帽子のつばを挿入する口を開けた袋状の帽子つば包含部を設けたことを特徴とする頭部フード付のマント、ポンチョ、レインコート、合羽等の雨具及びアノラック等の防寒衣料。
【請求項２】
袋状の帽子つば包含部の下部（７）の一部をカットし、帽子つばを固定できるようにした請求項１の頭部フード付のマント、ポンチョ、レインコート、合羽等の雨具及びアノラック等の防寒衣料。
【発明の詳細な説明】
【技術分野】
【０００１】
本発明は、頭を動かしても頭部フードがずれない、頭の動きと共に動く頭部フード付雨具および防寒衣料に関する。
【背景技術】
【０００２】
従来の雨具、防寒衣料に頭部を覆うフードが付いているが、顔をうごかしてもフードが動かないため、左右、後方を振り向くとフードが遮り、視界を遮断する。そのため殆どは顔にあたる部分の周囲に紐を配し、紐を締め付けることにより頭の動きと共にフードが動くようにしている。この紐は着用者には煩わしく、風を伴う雨の時以外絞めないため左右、後方から来る車の確認がうまくできず危険である。フードと顔がスムースに連動して動くように開口部につば付帽子を取り付けたポンチョが特開２００１−１９２９１０で、帽子とフードをアルミニュームのボッチで固定する登録実用新案３００２４６５の雨具、レインウェア、アノラックのフードに複数の細帯片を持つ接続パーツを逢着またはホック等のとめ具で固定し、顔の左右の動きにより接続部に生じる歪を吸収する登録実用新案３０９４３３６などが提案されている。帽子のつば包含部を設け、市販のつば付き帽子を利用する頭部フードを持つものはない。
【先行技術文献】
【特許文献】
【０００３】
【特許文献１】登録実用新案  ３００２４６５
【特許文献２】登録実用新案  ３０９４３３６
【特許文献３】特開２００１−１９２９１０
【発明の概要】
【発明が解決しようとする課題】
【０００４】
従来の雨具、防寒衣料は頭部を覆うフードが付いているのが、顔をうごかしてもフードが動かないため、左右、後方を振り向くとフードが遮り、視界を遮断する。そのため殆どは顔にあたる部分の周囲に紐を配し、紐を絞め付けることにより頭の動きと共にフードが動くようにしている。この紐は着用者には煩わしく、風を伴う雨の時以外絞めないため左右、後方から来る車の確認がうまくできず危険である。顔にあたる部分の周囲に紐を配した紐を絞めなくても、雨具の開口部につば付き帽子を取り付けず、アルミニュームのボッチも用いず、フードに複数の細帯片を持つ接続パーツを逢着せず、より簡易な方法で頭部フードが頭の動きと共に動く、安全な雨具、防寒衣料を開発する。
【課題を解決するための手段】
【０００５】
首から上の顔面を除く頭部を覆うフードを持つ雨具およびアノラック等の防寒衣料において頭部を覆うフードの着用者の額にあたる部分に帽子のつばを挿入する口を開けた袋状の帽子つば包含部を設けたことを特徴とする頭部フード付のマント、ポンチョ、レインコート、合羽等の雨具及びアノラック等の防寒衣料とすることで解決できる。
【０００６】
袋状の帽子つば包含部の下部（７）の一部をカットし、帽子つばを固定できるようにした請求項１の頭部フード付のマント、ポンチョ、レインコート、合羽等の雨具及びアノラック等の防寒衣料とする。
【発明の効果】
【０００７】
本発明の雨具により、つば付きの市販品の帽子を利用して左右、後方確認が容易にでき、特に自転車等の利用においては重要で、危険性が少なくなる。顔に紐で縛る煩わしさを解消することができる。
【図面の簡単な説明】
【０００８】
【図１】頭部を覆うフードの着用者の額にあたる部分に帽子のつばを挿入する口を開けた袋状の帽子つば包含部を分かり易くした図である。
【図２】袋状の帽子つば包含部を下から見た図で、袋状の下の一部をカットした図。
【図３】袋状の帽子つば包含部を下から見た図で、袋状の下の一部をカットし、爪のような構造とした図。
【発明を実施するための形態】
【０００９】
首から上の顔面を除く頭部を覆うフードを持つ雨具およびアノラック等の防寒衣料において頭部を覆うフードの着用者の額にあたる部分に図１のように帽子のつばを挿入する口（５）を開けた袋状の帽子つば包含部を設けたことを特徴とする頭部フード付のマント、ポンチョ、レインコート、合羽等の雨具及びアノラック等の防寒衣料とする。別個につば付帽子が必要となるが、つばが防水でない市販品の帽子も利用でき、従来の雨具、防寒衣料の頭部フードにつば包含部を設けるだけで改良でき、容易に頭部フードが頭の動きと共に動くようになる。つば包含部は前方、上方からの防雨をし、つば包含部の上部はやや硬めにすると帽子がない時でも充分ではないが機能することができる。邪魔な時はフード内に織り込めるようにする。顔を絞める紐は風が強いときなどに顔面防雨のため従来どおりにする。
【００１０】
袋状の帽子つば包含部の下部（７）の一部をカットし、帽子つばを固定できるようにした請求項１の頭部フード付のマント、ポンチョ、レインコート、合羽等の雨具及びアノラック等の防寒衣料とする。帽子つば包含部の下部（７）の袋状の先を図２のようにカットしても帽子つばを固定でき、容易に頭部フードが頭の動きと共に動くようになる。図３のように硬い爪のような構造（９）にしても可能である。
【産業上の利用可能性】
【００１１】
本発明による雨具は顔に紐で縛る煩わしさを解消し、フードがずれないため左右、後方確認を容易にし、危険性を回避でき、工業的にも量産することが可能であるため、産業上の利用可能性を有する。  
【符号の説明】
【００１２】
１  頭部フード
２  頭部フード付雨具及びアノラック等の防寒衣料
３  顔絞め付け紐
４  袋状の帽子つば包含部
５  帽子つば挿入部
６  袋状の帽子つば包含部の上部  
７  袋状の帽子つば包含部の下部
８  袋状の帽子つば包含部の下部カット部
９  袋状の帽子つば包含部の下部爪構造
【図１】
2010229588.tif 000003
【図２】
2010229588.tif 000004
【図３】
2010229588.tif 000005
(57)【要約】      （修正有）【課題】ＡｌＮ粉末からのプレス焼結品での製品は数ある。複雑製品を射出成形するには容易でない。単独では焼結しにくいので、Ｙ２Ｏ３、ＣａＯなどを加えて、高密度、高誘電体、高圧電体、焦電体、光用誘電体のものが得られる。これを半導体の放熱基板としては難焼結性である。また、これらの材料を射出成形するときに必要なバインダーの性質に注意する必要がある。多くの電子部品を装着しても高温や発熱の問題のない基板の材料特にバインダー、及び基板の構造を提供する。【解決手段】金型でのハニカム構造を「置き中子」として射出成形して、真空焼結後に中空にして、焦電体としての表面積を大きくした。【選択図】なし【特許請求の範囲】
【請求項１】
窒化アルミニュム粉末（ＡｌＮ）にイットリュムを数％添加して、バインダー５種をそれぞれに低温域から高温までに加圧混練を２時間行う時の順序とそのバインダー
【請求項２】
請求項１での材料を射出成形法でハニカム形状をインサート成形して、中空にした基板を真空焼結炉で仕上げる方法。表面積を大きくして、高強度、高硬度、耐熱性、高熱伝導性の特徴を非酸化物構造用。
【請求項３】
請求項２で出来上がった基板に電導させるための回路と両面を導通させるメッキ方法。
【発明の詳細な説明】
【技術分野】
【０００１】  この発明は、窒化アルミ粉末を射出成形法を利用するために、成形性、流動性、製品形状を保持するには５種のバインダー（特許公開平０７−２１６４０４）との混練方法と、その比率。【０００２】  成形時にハニカム形状をインサートして、真空焼結後に中空にして表面積を大きくして耐熱性、高熱伝導性を高める焼結法に関するものである。【０００３】  窒化アルミニュム板上に電気伝導性の物質で回路を作製して、これらに多くの電子部品をマウントさせると発熱して、電子部品本来の性能が温度上昇による低下が起こる。これらの不具合を解決すると同時に、工数とコスト削減にある。
【背景技術】
【０００４】  従来のプリント基板は、フェノールやレジンを母材にしたものであり、これらにおおくの電子部品を装着すると、発熱の問題があり、電子部品の機能の低下を防ぐために、背面にセラミックス、アルミ放熱フィン、モーターでのファンでの放熱を行うシステムであった。
【発明の開示】
【発明が解決しようとする課題】
【０００５】  従来の基板に多くの電子部品を装着して機能を満足させようとすると高温と熱に悩まされた。これらを解決するために基板に多くの部品点数と、必要な電力が必要不可欠であり、またファンの音に悩まされた。
【課題を解決するための手段】
【０００６】  本発明は、以上のような構成から成る部品構成を窒化アルミニュムという材料の選択により、また、射出成形法によるハニカム構造をした中空、基板両面を導通させるにために微細孔を施して、真空焼結炉で仕上げる。
【課題を解決するための手段】
【０００７】  本発明は、窒化アルミニュムの持つ特性を生かして表面上に電気回路を作製するものである。基板の前処理として、エッチングして、表面を荒くした後、Ｓｎ（すず）またはＰｄ（パラジュム）等をメッキして回路を作製する。
本発明は、以上の構成よりなる粉末射出成形法である。
【発明の効果】
【０００８】  従来の電気回路板の物質に外部電界を印加するときに誘電電気双曲子モーメントを発生して、電子分極、イオン分極、配向分極、界面分極を生じ、正電荷と負電荷が相対的に変位した後、クーロン力や熱じょう乱とつり合って停まる。理想的な誘電体は絶縁体であって電荷を輸送しない、また、この電荷の相対的変位ゆえに誘電体は電荷を蓄積することが出来、静電気エネルギーを蓄積することが出来る。これらの特徴とする窒化アルミニュム粉末を射出成形、真空焼結して、電力の消費なく高い電圧を印加できる材料でその製造方法である。
【発明を実施するための最良の形態】
【０００９】  以下、本発明を実施するためについて説明する。
電子部品を挿入して、固定するために射出時に基板上に穴あけを行い、また、両面に導通させる用にスルーホール用にも数箇所に穴あけを行い、これらを真空焼結炉で脱脂・焼結を行う。同時にインサートでの中空も行う。
【図面の簡単な説明】
【００１０】
【図１】        平面図
【図２】        平面図
【符号の説明】
【００１１】〔図１〕    Ａ−Ａ′  断面図（置き中子での中空部）
Ａ  はエッチング層
Ｂ  はＳｎ（すず）メッキ層
Ｃ  はＰｄ（パラジュム）メッキ層
Ｄ  は断面中空部
〔図２〕    Ｂ−Ｂ′  断面図（スルーホール部）
Ｅ  は両面のスルーホール部
【図１】
2010229010.tif 000002
【図２】
2010229010.tif 000003
(57)【要約】      （修正有）【課題】ターボをエンジンの性能アップだけでなく酸素より多く入れる。【解決手段】医療用酸素濾過膜を利用し、完全燃焼と性能アップを図る。又蓄電池より発生したＨ２、Ｏ２を付け加える。【選択図】図１
2010229993.tif 000002
【特許請求の範囲】
【請求項１】
エンジンの過酸素供給機
今までエンジンへの過酸素供給機としてターボと言われる物が有る。これは空気とオイルを同時に増加させエンジン能力アップを狙った物である。しかし私は逆にエンジンの能力アップと共に完全燃焼も狙い酸素とオイルを増加させた方がもつと理想的だと考えた。
そこで現在医療で用いられている酸素濾過膜を利用したら非常に便利で有効と考えた。
【請求項２】
蓄電池より発製したＨ２、Ｏ２を［請求項１］に加えていけばもつと性能があがり良い物が出来るのではないかと思い提案をした。
【発明の詳細な説明】
【技術分野】                機械【０００１】      ターボと同様以上の効果があると思われる。且つ又Ｈ２，Ｏ２を鉛蓄電池より発生て用いのでますます効果的と成る。
【背景技術】
【０００２】      酸素濾過膜の開発と蓄電池の再発研
【発明の開示】
【発明が解決しようとする課題】
【０００３】      自然破壊を起こす自動車の汚染物質の減小と自動車の馬力アップ。
【課題を解決するための手段】
【０００４】      ターボに酸素濾過膜を取りつける。そうして蓄電器より取り出したＨ２，Ｏ２をエンジンに取り付けて燃やす。
【発明の効果】
【０００５】      エンジンの不完全燃焼が減消するであろう。そうしてＨ２、Ｏ２も良く燃える。
【発明を実施するための最良の形態】
【０００６】      ターボの吸入口に濾過しと濾過フィルターを取り付け、ターボのちに酸素濾過膜を取りつけ、そののちにＨ２，Ｏ２を入れて次いでエンジンとなる。
【実施例】
【０００７】      ターボのような物にＨ２を燃焼させるものを取り付けたもの。
【産業上の利用可能性】
【０００８】      十分に見とめられる。
【図面の簡単な説明】
【０００９】
【図１】      全体図
【図２】      両者の横断面
【符号の説明】
【００１０】      ▲１▼  エンジン  ▲２▼  ターボ  ▲３▼  蓄電器  ▲４▼  濾過フィルター  ▲５▼  Ｏ２濾過フィルター  ▲６▼  Ｈ２，Ｏ２ガス
【図１】
2010229993.tif 000003
【図２】
2010229993.tif 000004
(57)【要約】【課題】各施設に応じて最大揚程および最大水量で対応させて設計・施工されている揚水機の余剰水圧を利用してこの余裕の水量や揚程を発電のエネルギーとして回収して小水力発電を行なうこと。【解決手段】揚水機のなかでも特に排水機において、揚水機の計画時の設定値と常時の運転時の揚程および水量の間についての差異が大きく、現施設の規模を変更することなく、揚水機の吐出側の管路を一部変更し発電機に接続して発電する。【選択図】図１
2010229994.tif 000002
【特許請求の範囲】
【発明の詳細な説明】
【技術分野】
【０００１】  本発明は、揚水機により発生する水流で行う発電に関する分野のものである。
【背景技術】
【０００２】  揚水機によって、発生した余剰の水圧および水流は放置されているのが一般的である。
なぜならば、揚水機の所要量・性能の設定は最大揚程および最大揚水量で設定されており、常時の運転時に必要な揚水量と差異が存在するからである。
【先行技術文献】
【０００３】
【特許文献１】特開２００５−６９０３２発明の名称「上水道水流タービン発電機」
【発明の概要】
【発明が解決しようとする課題】
【０００４】  揚水機は、各施設に応じて最大揚程および最大揚水量で対応させて設計・施工されているが、常時の運転時には揚水量や水圧に余裕がある。その余裕はロスとして放置されている。本発明では、この余裕の揚水量や水圧を発電のエネルギーとして回収することを課題としている。
【課題を解決するための手段】
【０００５】  課題を解決するための手段として、揚水機から吐水される管路に発電機を設けることによって、吐出管路に連結し余剰水圧のまま、送水して発電を行う。【０００６】  揚水機の軸動力は揚程や流量の変化に関係なくほぼ一定の動力を必要としているものであり、その目的とするところは低揚程または小流量の時の動力の余裕分はロスとして放置されているのが一般的である。本発明は、このことに着目をして、発電機の必要エネルギーを各揚水機の余剰能力に求めて、その余剰の水量で発電を行い有効活用することにしている。【０００７】  本発明は、揚水機のなかでも特に排水機において、揚水機の計画時の設定値と常時の運転時の揚程および水量の間についての差異が大きく、現施設の規模を変更することなく、揚水機の吐出側の管路を一部変更し発電機に接続して発電するものである。
【発明の効果】
【０００８】  本発明の発電システムは、揚水機における揚程および水量の無駄となっている余裕を活用して水力発電を行う。このことは、特に排水機場において効果は大きいと考えられる。
この余裕を活用して発電したエネルギーは、環境に優しいエネルギーとして多方面に活用できる。
【図面の簡単な説明】
【０００９】
【図１】本発明の揚水機による余剰水力利用の発電システムの断面図である。
【図２】本発明の揚水機による余剰水力利用の発電システムの平面図である。
【発明を実施するための最良の形態】
【００１０】  図１に示すように揚水機の吐出管路を発電機に直結し、その水流を用いて発電機に必要なエネルギーを与えるのが最良の実施形態である。
【実施例】
【００１１】  「請求項１」の実施形態の例として、図１に示すシステムにより揚水機の水流を直接発電に利用する。
【産業上の利用可能性】
【００１２】  本発明の目的は、上記の課題の解消として、揚水機の能力変更による、軸動力のロスを活用して発電するものであり、特に低地で機械排水を行っている排水機場および一般の揚水機場では、新たな設備をほとんど設けることもなく発電が出来る。本発明は、汎用性があり広く産業界で利用できる場面を有している。
【符号の説明】
【００１３】１  揚水機
２  発電機
３  揚程
４  軸動力
【図１】
2010229994.tif 000003
【図２】
2010229994.tif 000004
【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
ポンプの揚水の余剰水圧を用いて小水力発電を行うために、揚水機から吐水される管路に発電機を設けることによって、吐水管路に連結された状況のまま、送水して発電を行うことを特徴とした水力発電システム。
(57)【要約】【課題】従来の鉄道車両用推進制御装置は、速度から演算される車輪の加速度だけを用いて空転滑走を検知しているため、誤検知を避けるために、空転、滑走を判定する加速度の検知レベルを大きく設定する必要があり、緩やかな空転、滑走を検知できない問題があった。【解決手段】本発明は、この課題を解決するためのもので、モータ速度を積分し空転／滑走が発生しない場合の車両の推定推進距離と、ＧＰＳ（Ｇｌｏｂａｌ  Ｐｏｓｉｔｉｏｎｉｎｇ  Ｓｙｓｔｅｍ：全地球測位システム）からの位置情報に基づき実際に車両が進んだ距離である実推進距離との乖離が事前に設定された値を超えることにより空転または滑走を検知することを特徴とする空転滑走検知方法及び鉄道車両用推進制御装置であり、該乖離の値が空転、滑走の継続に応じて拡大する為、空転、滑走が緩やかに発生した場合でもこれを検知することができる。【選択図】図１
2010172057.tif 000002
【特許請求の範囲】
【請求項１】
鉄道車両用推進制御装置における空転滑走検知方法であって、モータ速度を積分し空転／滑走が発生しない場合の車両の推定推進距離を計算する機能を有し、ＧＰＳ（Ｇｌｏｂａｌ  Ｐｏｓｉｔｉｏｎｉｎｇ  Ｓｙｓｔｅｍ：全地球測位システム）からの位置情報に基づき実際に車両が進んだ距離である実推進距離を計算する機能を有し、車輪に空転／滑走が発生した場合に発生する該推定推進距離と該実推進距離との乖離が事前に設定された値を超えることにより空転または滑走を検知することを特徴とする空転滑走検知方法。
【請求項２】
鉄道車両用推進制御装置において、モータ速度を積分し空転／滑走が発生しない場合の車両の推定推進距離を計算する演算手段と、ＧＰＳ（Ｇｌｏｂａｌ  Ｐｏｓｉｔｉｏｎｉｎｇ  Ｓｙｓｔｅｍ：全地球測位システム）からの位置情報に基づき実際に車両が進んだ距離である実推進距離を計算する演算手段を備え、車輪に空転／滑走が発生した場合に発生する該推定推進距離と該実推進距離との乖離が事前に設定された値を超えることにより空転または滑走を判定する判定手段を備えたことを特徴とする鉄道車両用推進制御装置。
【発明の詳細な説明】
【技術分野】
【０００１】
本発明は、鉄道車両用推進制御装置及び空転滑走検知方法に関する。
【背景技術】
【０００２】
従来の鉄道車両用空転滑走制御は、速度から演算される車輪の加速度だけを用いて空転滑走を検知していた。（例えば、特許文献１参照。）。
【先行技術文献】
【特許文献】
【０００３】
【特許文献１】特開２００２−３２５３０７号公報
【発明の概要】
【発明が解決しようとする課題】
【０００４】
従来の鉄道車両用推進制御装置は、速度から演算される車輪の加速度だけを用いて空転滑走を検知しているため、誤検知を避けるために、空転、滑走を判定する加速度の検知レベルを大きく設定する必要があり、緩やかな空転、滑走を検知できない問題があった。
【課題を解決するための手段】
【０００５】
請求項１の発明は、鉄道車両用推進制御装置における空転滑走検知方法であって、モータ速度を積分し空転／滑走が発生しない場合の車両の推定推進距離を計算する機能を有し、ＧＰＳ（Ｇｌｏｂａｌ  Ｐｏｓｉｔｉｏｎｉｎｇ  Ｓｙｓｔｅｍ：全地球測位システム）からの位置情報に基づき実際に車両が進んだ距離である実推進距離を計算する機能を有し、車輪に空転／滑走が発生した場合に発生する該推定推進距離と該実推進距離との乖離が事前に設定された値を超えることにより空転または滑走を検知することを特徴とする空転滑走検知方法である。
【０００６】
請求項２の発明は、鉄道車両用推進制御装置において、モータ速度を積分し空転／滑走が発生しない場合の車両の推定推進距離を計算する演算手段と、ＧＰＳ（Ｇｌｏｂａｌ  Ｐｏｓｉｔｉｏｎｉｎｇ  Ｓｙｓｔｅｍ：全地球測位システム）からの位置情報に基づき実際に車両が進んだ距離である実推進距離を計算する演算手段を備え、車輪に空転／滑走が発生した場合に発生する該推定推進距離と該実推進距離との乖離が事前に設定された値を超えることにより空転または滑走を判定する判定手段を備えたことを特徴とする鉄道車両用推進制御装置である。
【０００７】
本発明は、上記課題を解決するためのもので、モータ速度を積分し空転／滑走が発生しない場合の車両の推定推進距離と、ＧＰＳ（Ｇｌｏｂａｌ  Ｐｏｓｉｔｉｏｎｉｎｇ  Ｓｙｓｔｅｍ：全地球測位システム）からの位置情報に基づき実際に車両が進んだ距離である実推進距離との乖離が事前に設定された値を超えることにより空転または滑走を検知することを特徴とする空転滑走検知方法及び鉄道車両用推進制御装置で、該乖離の値が空転、滑走の継続に応じて拡大する為、空転、滑走が緩やかに発生した場合でもこれを検知することができる。
【発明の効果】
【０００８】
本発明により、緩やかな空転、滑走の発生を検知することができるので非常に有用である。
【図面の簡単な説明】
【０００９】
【図１】本発明の実施の形態を説明するための図である。
【発明を実施するための形態】
【００１０】
モータ速度を積分し空転／滑走が発生しない場合の車両の推定推進距離と、ＧＰＳ（Ｇｌｏｂａｌ  Ｐｏｓｉｔｉｏｎｉｎｇ  Ｓｙｓｔｅｍ：全地球測位システム）からの位置情報に基づき実際に車両が進んだ距離である実推進距離との乖離が事前に設定された値を超えることにより空転または滑走を検知することを特徴とする空転滑走検知方法及び鉄道車両用推進制御装置により車両用モータを制御することで、緩やかな空転、滑走時における空転滑走制御を実現する。
【実施例１】
【００１１】
図１は、本発明の１実施例を示すもので、以下図１に従って説明する。
【００１２】
鉄道車両用推進制御装置１は、モータ速度を積分し空転／滑走が発生しない場合の車両の推定推進距離を計算する推定推進距離演算手段２を有し、ＧＰＳ（Ｇｌｏｂａｌ  Ｐｏｓｉｔｉｏｎｉｎｇ  Ｓｙｓｔｅｍ：全地球測位システム）３からの位置情報に基づき実際に車両が進んだ距離である実推進距離を計算する実推進距離演算手段４を有し、空転、滑走の発生により生じる、前記推進制御装置がモータ回転数から演算している車両の推定推進距離と前記ＧＰＳ３からの位置情報に基づき実際に車両が進んだ距離である実推進距離との乖離を計算する乖離演算手段５を有し、当該乖離が事前に設定された値を超えたことで空転、滑走を検知する空転／滑走判定手段６を有することで、緩やかな空転および滑走の発生時における空転滑走制御の適用を実現する。
【産業上の利用可能性】
【００１３】
推進制御装置は高度にインテリジェント化されているので、あらゆる鉄道車両用推進制御装置で利用することが出来る。
【符号の説明】
【００１４】
１      鉄道車両用推進制御装置
２      推定推進距離演算手段
３      ＧＰＳ（Ｇｌｏｂａｌ Ｐｏｓｉｔｉｏｎｉｎｇ Ｓｙｓｔｅｍ：全地球測位シ
ステム）
４      実推進距離演算手段
５      乖離演算手段
６      空転／滑走判定手段
【図１】
2010172057.tif 000003
(57)【要約】【課題】  電柱と電線は不要【解決手段】  発電所で発電した電力を充電式電池にて、供給。今後生産される電化製品は、それから電力を利用する。現在のものは電池にコンセントをつけて利用する。【特許請求の範囲】
【請求項１】
電力をムダなく使うシステム
【発明の詳細な説明】
【技術分野】
【０００１】本発明は電力の供給と利用法に関するものである。
【背景技術】
【０００２】電柱と電線は不要。また、エコといって、会社の利益を上げるために、広告してムダに電力と資源を使う事がすでにエコとはいわない。
【発明の概要】
【発明が解決しようとする課題】
【０００３】発電された電力を大切にする。
【課題を解決するための手段】
【０００４】発電所で発電した電力を充電式電池にて、供給。今後生産される電化製品は、それから電力を利用する。現在のものは電池にコンセントをつけて利用する。
【発明の効果】
【０００５】電線及び電柱は不要。
(57)【要約】【課題】  正しいゴルフスイングを身につけるため、サドルに回転体をつけた足踏み板付き腰掛回転運動具を提供する。【解決手段】  足踏み板の上に中空軸を設け、その上部に高さ調整できる締付体を設け、その中にそれより長い中空軸を設け、長い方の中空軸の上にサドルを設け、サドルと長い方の中空軸との間に回転体を装着したことを特徴とする足踏み板付き腰掛回転運動具。【選択図】図３
2010172675.tif 000002
【特許請求の範囲】
【請求項１】
足踏み板と台座を蝶番で繋ぎ、台座の上に中空軸を設け、その中空軸の上部に締付体を設け、その中に長さの長い中空軸を設け、高さ調整できるようにして、その長い方の中空軸の上にサドルを設け、サドルと長い方の中空軸上部の間に回転体を装着したことを特徴とする足踏み板付き腰掛回転運動具。
【発明の詳細な説明】
【技術分野】
【０００１】  本発明は、ゴルフスイングの練習畤に、アドレスに合わせて腰を掛けて使用する、足踏み板付き腰掛回転運動具に関するものである。
【背景技術】
【０００２】  従来、ゴルフスイングの練習時に、体の軸がぶれて、正しいゴルフスイングが身につかなかった。
なお、アドレスに合わせて腰を掛けて使用する発明が知られている（特許文献１）。
【特許文献１】特開２００１−３７９４３号公報
【発明の開示】
【発明が解決しようとする課題】
【０００３】  従来より、次のような問題点があった。
体の軸がぶれて、正しいゴルフスイングが身につかなかった。
練習場で使用できる、軸回転を身につける適当な練習器具がなかった。
本発明は、これらの問題点を解決するためになされたものである。
【課題を解決するための手段】
【０００４】  踏み板の上に中空軸を設け、中空軸の上部に締付体を設け、その中に長さの長い中空軸を設け、長い方の中空軸の上にサドルを設け、その中空軸の上部との間に回転体を装着する。
以上を特徴とする足踏み板付き腰掛回転運動具である。
【発明の効果】
【０００５】  腰を掛けてゴルフスイングの練習が出来るため、正しい上体のスイングが身に付く。
サドルが回転するため、正しい下半身のスイングが身に付く。
内側の中空軸を伸ばして、アドレスに合わせられるので、正しい軸回転のゴルフスイングが身に付く。
台座があるので、自立するので、簡単に使用することができる。
踏み板を、両足で踏みつけて使用するので、体と運道具が一体となる。
踏み板と台座を蝶番で繋いであるので、折りたためて、持ち運びに便利である。
【発明を実施するための最良の形態】
【０００６】  以下、本発明の形態について説明する。
（イ）中空軸（１）の下部に長方形の足踏み板（２）を設ける。
（ロ）長さの長い中空軸（３）の上部に回転体を設ける。
（ハ）サドルと中空軸との間に、回転体（６）を装着する。
本発明は以上のような構成である。
これを使用するときは、高さ調整をして、サドルに腰掛て踏み板に脚を乗せて、正しい姿勢をとり、回転運動する。
腰の回転により、回転体が回転運動を起こして、本発明と一体となって回転運動をはじめる。
しかも踏み板に足を乗せるために、安定して回転運動ができる。
【図面の簡単な説明】
【０００７】
【図１】本発明の正面図
【図２】本発明の分解図
【図３】本発明の斜視図
【符号の説明】
【０００８】１  サドル
２  固定金具
３  ボルトナット
４  回転体
５  サドル用中空軸
６  締付金具
７  台座に固定した中空軸
８  台座
９  踏付板
１０  蝶番
【図１】
2010172675.tif 000003
【図２】
2010172675.tif 000004
【図３】
2010172675.tif 000005
(57)【要約】【課題】  ラーメン等を食べる際、蓮華がスープの中に落ちてしまい麺を食べるのに邪魔になったり、その蓮華を取るのに手が汚れたりした。【解決手段】蓮華の柄をヘアピンの様な形状にすることで、器の縁に簡単に固定しまた簡単に取り外すことができる。【選択図】図１
2010172676.tif 000002
【特許請求の範囲】
【請求項１】
柄がヘアピンの様な形状をした蓮華、またはそれに類した食器。
【発明の詳細な説明】
【技術分野】
【０００１】この発明は蓮華やスプーンなどを器の縁に固定し、脱落を防止するものである。
【背景技術】
【０００２】従来の蓮華は裏返しにして器に掛けるもの、柄が長いもの或いは柄の端が器に引っ掛かるものがあった。
【発明の概要】
【発明が解決しようとする課題】
【０００３】これらには次のような欠点があった。
裏返しにして器に掛けるものは不安定で、ラーメン等を食べる時に蓮華がスープの中に沈み、それを取るために手が汚れた。
柄の長いもの或いは柄の端が器に引っ掛かるものは、麺を食べるときに邪魔になった。
【課題を解決するための手段】
【０００４】蓮華やスプーンなどに於いて、器の縁を挟み込み固定できるヘアピンの様な形状をした柄を特徴とする。
【発明の効果】
【０００５】蓮華やスプーンなどに於いて、ヘアピンのような形状をした柄で器の縁を挟み込み確実に固定し、また着脱も容易である。
【図面の簡単な説明】
【０００６】
【図１】本発明の斜視図
【図２】本発明の使用側面図
【図１】
2010172676.tif 000003
【図２】
2010172676.tif 000004
(57)【要約】【課題】    滑り板の長さと幅が引出しの滑り桟の長さと幅にほぼ等しくする構造のために既存の多様な大きさの家具の引出しには適用しにくかった。引出しを引出した際に引出しが外枠底板上面の滑り板の無い箇所と接触していた。【解決手段】  木製家具の引出しにおいて引出しを収納する外枠の底板上面又は滑り桟両側上面の引出す方向と平行の位置に、外枠の底板上面先端又は滑り桟両側上面先端から引出しの奥行き方向の重心より長い位置まで滑り板を設けた木製家具の引出し構造による。  上記木製家具の引き出し構造に用いる滑り板であって長さ調整可能なように引出し奥行きより長く製作され、鋏又はカッターで切断できる長尺の合成樹脂性滑り板による。【選択図】図１
2010172679.tif 000002
【特許請求の範囲】
【請求項１】
木製家具の引出しにおいて引出しを収納する外枠の底板上面又は滑り桟両側上面の引出す方向と平行の位置に、外枠の底板上面先端又は滑り桟両側上面先端から引出しの奥行き方向の重心より長い位置まで滑り板を設けた木製家具の引出し構造
【請求項２】
上記木製家具の引き出し構造に用いる滑り板であって長さ調整可能なように引出し奥行きより長く製作され、鋏又はカッターで切断できる長尺の合成樹脂性滑り板。
【発明の詳細な説明】
【技術分野】
【０００１】  本発明は、木製の引出しや箪笥の滑りを良くする構造とその滑り材に関するものである。
【背景技術】
【０００２】  従来の引出しの滑りを良くする方法としては引き出し両側にレールを設けて滑りを良くするものがあったが構造が複雑であった。木製の引出しは使用に伴い、引き出し外枠の底部両側辺が磨り減り、滑りが悪くなると共におが屑が引き出し内部に溜まる現象があった。又、家具の引出しの滑り板に関するものはあるが、新規の家具には適用できるが、滑り板の長さと幅を引出しの長さと幅にほぼ等しくする構造のため既存の多様な大きさの家具の引出しには適用しにくい。又引出し外枠底板の上面先端に滑り板が無いため、引出しを引出して引出しが傾斜した場合は滑り板に当らなくなり、滑りが良くなくなっていた。
【特許文献１】  特開平１０−１５５５７８  公報
【発明の開示】
【発明が解決しようとする課題】
【０００３】  滑り板の長さと幅が引出しの滑り桟の長さと幅にほぼ等しくする構造のために既存の多様な大きさの家具の引出しには適用しにくかった。引出しを引出した際に引出しが外枠底板上面の滑り板の無い箇所と接触していた。
【課題を解決するための手段】
【０００４】  木製家具の引出しにおいて引出しを収納する外枠の底板上面又は滑り桟両側上面の引出す方向と平行の位置に、外枠の底板上面先端又は滑り桟両側上面先端から引出しの奥行き方向の重心より長い位置まで滑り板を設けた木製家具の引出し構造による。
上記木製家具の引き出し構造に用いる滑り板であって長さ調整可能なように引出し奥行きより長く製作され、鋏又はカッターで切断できる長尺の合成樹脂性滑り板による。
【発明の効果】
【０００５】  引出しを引出すと引出しの重心位置は引出し外枠よりも外側の▲２▼の位置まで移動する為、引き出し本体は少し下側に傾斜する。この為滑り板を外枠先端位置▲２▼から初期の重心位置である▲１▼よりも奥まで貼る事により引出しが移動しても引出し本体の重量が常に滑り板上に乗っているため、引出しを引出して傾斜した際にも滑り板が引出し底板と接触して、滑りを良くし外枠の損傷を防止する。
滑り板は、既存の木製家具の机、箪笥、整理箱、鏡台等の引出し底板に貼り、滑りを良くしたり、引出しの隙間の調節を行うことが出来る。
【発明を実施するための最良の形態】
【０００６】  本発明の実施形態を説明する。図１において、引き出し本体が収納された状態の重心位置は▲１▼の位置にあり、滑り板は、重心位置より奥まで設置される。重心位置より奥は滑り板を貼らなくても引き出し本体が奥に傾斜することは無い。引出しを半分より長く引出すと引出しの重心位置は引出し外枠よりも外側の▲２▼の位置まで移動する為、引き出し本体は少し下側に傾斜する。この為滑り板を外枠先端位置まで貼る事により、引出し本体の重量を常に滑り板が受け、引出しを引出して傾斜した際にも滑り板が引出し底板と接触していて外枠先端の損傷を防止し滑りを良くする。
図２に引出しを１段開口した斜視図を示す。滑り材は引出し底板上面先端から奥行きの半分より長く▲１▼の重心位置より奥まで貼る。外枠底板が滑り桟で両側にある場合は滑り桟（４）の位置に貼り、箪笥で底板が全面にある場合は、底板中央にも滑り板（４−１）を貼ることが有効である。
図３に滑り板を示す。滑り板はポリエチレン樹脂の滑り材（４）と両面テープ（５）剥離紙（６）で構成される。滑り板（４）はポリエチレン樹脂で長尺に製作されており、鋏やカッターで切断できる硬さであり、柔軟性が有りロール状に巻けると長尺でも嵩張らない。幅は滑り桟の幅に近い１０ｍｍから２０ｍｍ、厚さは引き出しの隙間が狭くならず、又隙間を少なくするために張ることも出来るため０．５から２ｍｍ、長さは箪笥１本分の長さとして１ｍから１０ｍが適している。表面に凸凹や溝を付ける形状にすると摩擦係数を減らすことが出来る。
【図面の簡単な説明】
【０００７】
【図１】引出しと滑り板の構造断面及び引出しを引出した際の断面図
【図２】引出しを一段開口した滑り板の位置斜視図
【図３】滑り板の斜視図
【符号の説明】
【０００８】１  引出し本体
２  引出し底板
３  引出し外枠底板
４  滑り板
５  両面テープ
６  剥離紙
７  滑り桟
【図１】
2010172679.tif 000003
【図２】
2010172679.tif 000004
【図３】
2010172679.tif 000005
(57)【要約】【課題】  巻き爪になりやすい湾曲した爪の湾曲の程度を軽減し、巻き爪を防止する。【解決手段】  上面固定部（１）と下面固定部（２）を、加圧帯（３）によって連結する。本発明は加圧帯（３）が爪（４）の先端中央を下方向に変形させることにより、爪（４）の先端の両側端を外側上方に変形させ、もって爪（４）の湾曲の程度を軽減することを特徴とする。【選択図】図２
2010172691.tif 000002
【特許請求の範囲】
【請求項１】
（イ）上面固定部（１）および下面固定部（２）と、その２つをつなぐ加圧帯（３）より構成される。
（ロ）加圧帯（３）の幅は爪（４）の幅より細くする。
以上のごとく構成された巻き爪防止具。
【請求項２】
上面固定部（１）と下面固定部（２）の両側端を連結し、筒状とした、請求項１記載の巻き爪防止具。
【請求項３】
上面固定部（１）と加圧帯（３）により構成される請求項１記載の巻き爪防止具。
【発明の詳細な説明】
【技術分野】
【０００１】  本発明は、巻き爪になりやすい爪の形を矯正し、巻き爪になることを防止するためのものである。
【背景技術】
【０００２】  巻き爪とは、図５のような形をした通常の爪が、日数を経る間に徐々に湾曲を強め、図６のように指に食い込んで痛みを生じた状態である。これを治療あるいは防止するため、従来は図１１、図１２のように、弾性板（１３）を爪の横方向に、爪の湾曲に沿って貼り付ける、または図１３、図１４のように、弾性板（１３）を爪の両側端に引っ掛けるなどして、弾性板（１３）の反発力を利用して爪の湾曲を平らに戻そうとするものがあった。
その他にも、図１５、図１６のように、ワイヤー（１５）などを用いるものもあるが、すべて爪（４）の両側端を直接、外側上方に引き上げようとするものであった。
【先行技術文献】
【０００３】
【特許文献１】  特開  平０９−２５３１１０
【特許文献２】  特開  ２００１−３７５３５
【特許文献３】  特開  ２００５−６６００３
【特許文献４】  特開  ２００３−２６５５０８
【特許文献５】  特開  ２００１−２７６１０４
【特許文献６】  特開  ２００７−１４４０８０
【特許文献７】  特開  ２００７−２４４８５２
【特許文献８】  特開  ２００８−１３６６３３
【特許文献９】  特開  ２００７−２２９５０９
【発明の概要】
【発明が解決しようとする課題】
【０００４】  これらには次のような欠点があった。
（イ）爪（４）から弾性板（１３）が剥がれないようにするため、強力な接着剤を使用しなければならなかった。
（ロ）爪（４）は何層にも重なった層状構造をしており、弾性板（１３）が爪（４）表面に引っ張り上げる力を加えると、爪（４）が層状に剥がれてしまう。
（ハ）図１３、図１４のように弾性板（１３）を爪（４）の両側端に引っ掛けるものは、爪（４）がある程度、指（５）の先端より伸びていないと、弾性板（１３）が爪（４）の両側端の下側に入らず、使用できない。
（ニ）図１５、図１６のようにワイヤーを用いるものは、爪（４）に穴（１６）を開けなければならず、そのため、爪（４）がある程度指（５）の先端より伸びていなければ使用できない。
【課題を解決するための手段】  上面固定部（１）と下面固定部（２）を加圧帯（３）によって連結する。
本発明は、以上のような構成よりなる、巻き爪防止具である。
【発明の効果】  本発明は、湾曲した爪（４）の先端中央に、図３のように下側への力を加え、爪（４）の先端中央を図３のように下側に変形させ、そのことによって爪（４）の先端の両側端が、図４のように外側上方に変形される。
このことは、図７のように、後端を固定された半円筒（８）の先端中央に、下方向の力を加えると、先端の両側端が外側上方に変形することから、容易に予想されることである。
その結果、爪（４）の湾曲は少なくなり、巻き爪が防止される。
本発明は、従来の技術とは異なり、爪（４）の先端中央のみに力を加えればよいことが特徴である。
【図面の簡単な説明】
【０００５】
【図１】  請求項１に記載の、本発明の斜視図である。
【図２】  請求項１に記載の、本発明の使用状態斜視図である。
【図３】  図２のＡ−Ｂを切断面とする断面図である。
【図４】  図２のＣ−Ｄを切断面とする断面図である。
【図５】  通常の指および爪の横断面図である。
【図６】  巻き爪状態の指および爪の横断面図である。
【図７】  本発明の原理を示す斜視図である。
【図８】  請求項２に記載の、本発明の斜視図である。
【図９】  請求項２に記載の、本発明の使用状態図である。
【図１０】  請求項３に記載の、本発明の使用状態図である。
【図１１】  従来の巻き爪防止具のうち、爪表面に弾性板を貼り付けるタイプのものの使用状態図である。
【図１２】  図１１のＥ−Ｆを切断面とする断面図である。
【図１３】  従来の巻き爪防止具のうち、弾性板を爪の両側端に引っ掛けるタイプのものの使用状態図である。
【図１４】  図１３のＧ−Ｈを切断面とする断面図である。
【図１５】  従来の巻き爪防止具のうち、ワイヤーを用いるタイプのものの使用状態図である。
【図１６】  図１５のＩ−Ｊを断面とする使用状態断面図である。
【発明を実施するための形態】
【０００６】  以下、本発明を実施するための形態について説明する。
（イ）上面固定部（１）および下面固定部（２）と、その２つをつなぐ加圧帯（３）より構成される。
（ロ）加圧帯（３）の幅は爪（４）の幅より細くする。
本発明は、以上のような構成である。
これを使用するときは、上面固定部（１）を、指（５）の上面、爪（４）の後方に固定し、加圧帯（３）を爪（４）の先端にかけつつ指（５）の下面にまわし、下面固定部（２）を指（５）の下面に固定する。その際、加圧帯（３）より爪（４）の先端中央を図３のごとく下方向に変形させるように、爪（４）の先端中央に力を加えつつ、下面固定部（２）を固定するものとする。
【符号の説明】
【０００７】    １  上面固定部
２  下面固定部
３  加圧帯
４  爪
５  指
６  爪先端の変形方向
７  爪側端の変形方向
８  半円筒
９  半円筒の固定端
１０  半円筒の先端
１１  加圧方向
１２  半円筒側端の変形方向
１３  弾性板
１４  弾性板の反発方向
１５  ワイヤー
１６  穴
１７  ワイヤーが爪を引き上げる力の方向
【図１】
2010172691.tif 000003
【図２】
2010172691.tif 000004
【図３】
2010172691.tif 000005
【図４】
2010172691.tif 000006
【図５】
2010172691.tif 000007
【図６】
2010172691.tif 000008
【図７】
2010172691.tif 000009
【図８】
2010172691.tif 000010
【図９】
2010172691.tif 000011
【図１０】
2010172691.tif 000012
【図１１】
2010172691.tif 000013
【図１２】
2010172691.tif 000014
【図１３】
2010172691.tif 000015
【図１４】
2010172691.tif 000016
【図１５】
2010172691.tif 000017
【図１６】
2010172691.tif 000018
(57)【要約】      （修正有）【課題】体力、技術等を必要とせず、また遊戯に際して動力を必要とすることなく、リサイクルについても考慮遊戯具を提供する。【解決手段】踏み板３に遊戯者が飛び乗るだけで伸縮部２の空気が圧縮され、圧縮された空気はホース４を通じて発射筒６へと送り込まれる。送り込まれた空気により発射筒内に装填された空き缶５が発射され、的当てなどを行う。特別な練習を必要とせずまた動力も不要で、飛翔体を発射することができる。発射される飛翔体として空き缶を使うことで、使用後にリサイクルに回すことができる。【選択図】図１
2010172690.tif 000002
【特許請求の範囲】
【請求項１】
飛び乗ると空気が圧縮され、その空気圧で発射筒から飛翔体が発射される構造をもつ遊戯具。
【請求項２】
飛翔体を発射筒の中間から装てんできるようにした、請求項１記載の遊戯具。
【請求項３】
発射筒を手で持てるようにした、請求項１記載の遊戯具。
【請求項４】
発射筒を肩に担ぐようにした、請求項１記載の遊戯具
【請求項５】
発射筒にアダプターを取り付け太さの違う飛翔体を使えるようにした請求項１記載の遊戯具
【発明の詳細な説明】
【技術分野】
【０００１】本発明は、遊戯具に関するもので、飛び乗るだけで空き缶が発射され、的当てなどに使えるようにし、かつ楽しく跳躍運動ができるようにしたものである。
【発明が解決しようとする課題】
【０００２】従来の遊戯具は省エネルギーおよびリサイクルという点にあまり配慮されていない。
【０００３】的に当てるゲームとしてボウリングのようなゲームでは体力や技術を必要とし、弓のような場合は矢は消耗品となってしまう。
【０００４】跳躍する運動具として、トランポリン、ホッピング等があるが、これらは使用にあたり練習が必要であったり、幼児が使うには危険が伴う恐れがあった。
【課題を解決するための手段】
【０００５】前記課題を解決するために、発射される飛翔体として空き缶を使うことで、使用後リサイクルに回すことができる。また各自が空き缶を持ち寄ることにより、リサイクルの効果がより大きくなる。
【０００６】本発明は、飛び乗るだけで空気が圧縮される装置をつけることで、特別な練習をしなくとも、飛翔体を発射することができる。したがって特に動力を必要としない。飛び乗ることが無理な幼児には、踏み台を用意すれば、そこから飛び降りることで簡単にゲームに参加することができる。
【発明を実施するための形態】
【０００７】以下、添付図面を参照しつつ本発明を実施するための形態を説明する。図１は本発明の１実施形態を示す。その構成は、飛び乗るだけで空気を圧縮する装置１，２，３と発射筒本体６，７をホース４でつないだものとなる。使用するときは発射筒先より飛翔体を押し込む。
【０００８】発射筒は、内径の太さを選ぶことにより、飛ばせる空き缶の種類に対応することができる。またペットボトルのようなものにも対応することができる。
【０００９】図２は先端にアダプターを付けて太さを変える例を示している。
【００１０】図１では、床置きの形態となっているが、脚の形態を変えることにより、手で持ったり、肩で担ぐようにもできる。
【００１１】手で持つ又は担ぐ形態とすれば、飛び乗る者と、狙う者とでペアでゲームをすることもできる。
【図面の簡単な説明】
【図１】本発明の側面図、内部に飛翔体を装填した状態も示す
【図２】本発明に大きさの違う飛翔体に対応できるようにアダプターを取り付けた状態図
【符号の説明】１空気圧縮機本体
２伸縮部
３飛び乗る踏み板
４ホース
５空き缶
６発射筒
７脚
８アダプター
【図１】
2010172690.tif 000003
【図２】
2010172690.tif 000004